(57)【要約】【課題】ハンドセットを複数の電話回線に接続可能とする場合に、通信費用の発生を抑え、着信電話に迅速に対応することができるとともに、ファクシミリの受信に障害が発生しないようにすることができる通信端末装置を提供する。【解決手段】フォトカプラ３２からの信号により回線２の着信が検出されると、Ｈリレー３６が回線２側に切り換えられ、付属電話の呼出音がなる。そして、一定時間が経過しても付属電話がオフフックされない場合、ＣＭＬリレー４１がオンするとともに、モデムリレー４０が回線２側に切り換えられ、ファクス受信処理が行われる。このとき、Ｌリレー３８がオフされるとともに、Ｈリレー３６が回線１側に切り換えられるので、付属電話や外付電話２の受話器が持ち上げられてもファクス受信の妨げとはならない。【選択図】図２
2007166235.tif 000002
【特許請求の範囲】
【請求項１】
複数の電話回線接続端子と、ハンドセットとを備え、回線を切り換える制御手段を有する通信端末装置であって、
いずれかの回線から着信があった場合、上記制御手段が、着信のあった回線を上記ハンドセット側に切り換え、一定時間内にハンドセットのオフフックがない場合、着信のあった回線をファクスモデム側に切り換えることを特徴とする通信端末装置。
【請求項２】
請求項１に記載された通信端末装置において、
ファクス受信中、上記制御手段が、ファクスを受信していない回線を上記ハンドセット側に切り換えることを特徴とする通信端末装置。
【請求項３】
請求項１または請求項２に記載された通信端末装置において、
上記複数の回線毎に外付電話接続用端子を備え、ファクス受信中またはファックス送信中、上記制御手段が、ファクスに使用している回線側の外付電話接続用端子を当該回線から切り離すことを特徴とする通信端末装置。
【発明の詳細な説明】
【技術分野】
【０００１】
本発明は、ハンドセット（付属電話）を備え、複数の電話回線に接続可能なファクシミリ装置等の通信端末装置に関する。
【背景技術】
【０００２】
複写機能、ファクシミリ機能、プリント機能、スキャナ機能等を有する最近のデジタル複合機やファクシミリ装置等の通信端末装置の中には、ハンドセットを備え、このハンドセットにより通話を行うことができるものがある。
このようにハンドセットを備えた通信端末装置を二つの電話回線に接続可能とする場合、ファクシミリモデムとハンドセットをそれぞれ独立した回線に接続すると、ファクシミリモデムに接続された回線はファクシミリが使用中でない場合にも、通話用の回線として使用できないという不具合が生じる。
【０００３】
このため、二つの回線をハンドセットに切換え可能に接続し、１つの回線でのファクシミリ通信中に、他方の回線で着信した場合、あるいは、ハンドセットに接続されていない側の回線に着信があった場合には、ハンドセットを着信した回線側に切り換えることにより、ハンドセットを有効利用することが提案されている（例えば、特許文献１参照）。
【特許文献１】特開２０００−１８８６４２号公報
【発明の開示】
【発明が解決しようとする課題】
【０００４】
上記のように、ハンドセットを有効活用するため、ハンドセットに接続されていない側の回線に着信があった場合には、ハンドセットを着信した回線側に切り換えることが提案されているが、上記の提案では、いずれかの回線に着信があった場合、ファクシミリ受信か電話による受信かを判別して回線を切り換えており、この判別を行っている間も通信費用が発生するとともに、ハンドセットの呼出音が発生するまでに時間がかかるため、電話への迅速な対応ができないという問題が生じる。
【０００５】
また、一方の回線にファクシミリ装置を接続するとともに、両者の回線を選択する回線選択機構にハンドセットを接続することにより、両方の回線でハンドセットを使用することができるが、ファクシミリ受信中に回線選択機構を使用中の回線に切り換えてハンドセットの受話器を取り上げると、ファクシミリの受信を妨害するという問題が生じる。
【０００６】
本発明は、上記の問題に鑑みてなされたもので、ハンドセットを複数の電話回線に接続可能とする場合に、通信費用の発生を抑え、着信電話に迅速に対応することができるとともに、ファクシミリの受信に障害が発生しないようにすることができる通信端末装置を提供することを目的とする。
【課題を解決するための手段】
【０００７】
上述の目的を達成するため、請求項１に係る発明の通信端末装置は、複数の電話回線接続端子と、ハンドセットとを備え、回線を切り換える制御手段を有する通信端末装置であって、いずれかの回線から着信があった場合、上記制御手段が、着信のあった回線をハンドセット側に切り換え、一定時間内にハンドセットのオフフックがない場合、着信のあった回線をファクスモデム側に切り換えることを特徴とする。
【０００８】
また、請求項２に係る発明の通信端末装置は、請求項１に記載された通信端末装置において、ファクス受信中、上記制御手段が、ファクスを受信していない回線を上記ハンドセット側に切り換えることを特徴とする。
さらに、請求項３に係る発明の通信端末装置は、請求項１または請求項２に記載された通信端末装置において、上記複数の回線毎に外付電話接続用端子を備え、ファクス受信中またはファックス送信中、上記制御手段が、ファクスに使用している回線側の外付電話接続用端子を当該回線から切り離すことを特徴とする。
【発明の効果】
【０００９】
請求項１に係る発明の通信端末装置によれば、いずれかの回線から着信があった場合、着信のあった回線をハンドセット側に切り換え、一定時間内にハンドセットのオフフックがない場合に、着信のあった回線をファクスモデム側に切り換えるので、不要な処理を行う必要がなくなり、通信費用を軽減できるとともに、着信とほぼ同時にハンドセットの着信音が鳴るので、着信電話に迅速に対応することができる。
【００１０】
また、請求項２に係る発明の通信端末装置によれば、ファクス受信中、ファクスを受信していない回線がハンドセット側に切り換えられ、請求項３に係る発明の通信端末装置によれば、ファクス受信中またはファックス送信中、ファクスに使用している回線側の外付電話接続用端子が当該回線から切り離されるので、各電話機の受話器が持ち上げられたとしてもファクシミリの送受信に影響を与えないようにすることができる。
【実施例１】
【００１１】
以下、本発明の通信端末装置をデジタル複合機に適用した実施例について説明する。
図１はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ＬＡＮインターフェース（Ｉ／Ｆ）２１から構成され、各部がバス２２を介して接続されている。また、このデジタル複合機１は、回線１、２を接続する二つの端子ＬＩＮＥ１、ＬＩＮＥ２、付属電話（ハンドセット）の接続端子ＰＨＯＮＥ、外付電話用の端子ＴＥＬ１、ＴＥＬ２及びＬＡＮ接続用の端子ＬＡＮを備えている。
【００１２】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１３】
表示・操作部１４は、デジタル複合機１の動作状態を表示したり、種々の機能の操作画面の表示を行う表示部と、デジタル複合機１を操作するための複数のキーよりなり、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
【００１４】
また、画像メモリ１６は、ＤＲＡＭ等を用いて構成され、送信すべき画像データまたは受信した画像データあるいは読取部１５で読み取った画像データを記憶し、記録部１７は電子写真方式等のプリンタ装置を備え、受信したデータ、コピー原稿データあるいは外部のパソコンから送信されたプリントデータをプリントアウトする。
【００１５】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号する。
また、モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９を公衆交換電話網（ＰＳＴＮ）に接続する。
【００１６】
さらに、ＬＡＮインターフェース２１はＬＡＮ接続端子ＬＡＮに接続され、インターネット網からの信号やＬＡＮに接続されたパソコンからの信号を受信する一方、ＬＡＮに対して信号やデータを送信するものであり、信号変換やプロトコル変換などのインターフェース処理を実行する。
【００１７】
図２は、ＮＣＵ２０と電話回線及び電話端末用の端子との接続状態を示す詳細図であり、図に示すように、各端子に接続されたフォトカプラ３１〜３５、端子ＰＨＯＮＥに設けられたＨリレー３６、端子ＴＥＬ１、ＴＥＬ２に設けられたＬリレー３７、３８、ＮＣＵ２０のライントランス３９に接続されたモデムリレー４０、ＣＭＬリレー４１及び極性反転検出回路４２により構成されている。
【００１８】
フォトカプラ３１、３２は、それぞれ回線１、２からの呼出音を検出して着信信号ＣＩ１、ＣＩ２をＣＰＵ１１に出力し、フォトカプラ３３、３４、３５は付属電話、外付電話１、外付電話２の受話器が持ち上げられたことを検出して、オフフック信号（ＯＨ、ＯＨ１、ＯＨ２）をＣＰＵ１１に出力する。
また、Ｈリレー３６はＣＰＵ１１からの指令により、付属電話を回線１、２のいずれかに切り換えるものであり、付属電話の使用時には、ユーザが表示・操作部１４からいずれかの回線を選択・指示することができる。このＨリレー３６は、ファクスが回線補足した際には、その回線とは異なる側の回線に切り換えられる。
【００１９】
Ｌリレー３７は、通常、外付電話１接続用の端子ＴＥＬ１を回線１側に接続しているが、ファクスが回線１を捕捉した際には、ＣＰＵ１１により切り換えられ、外付電話１が回線１から切り離される。同様に、Ｌリレー３８は、通常、外付電話２接続用の端子ＴＥＬ２を回線２に接続しているが、ファクスが回線２を捕捉した際には、ＣＰＵ１１により切り換えられ、外付電話２が回線２から切り離される。
【００２０】
また、モデムリレー４０は、ファクスが回線捕捉する際に、ＣＰＵ１１の指示により回線１、２のいずれかを選択して接続するものであり、ＣＭＬリレー４１は、各回線とファクスモデムを接続するものであって、２回線で併用しており、待機時にはオフとなって回線を切り離している。極性反転検出回路４２は、相手ファクシミリ装置からの着信を検出して、制御信号をＣＰＵ１１に出力する。
【００２１】
デジタル複合機１は以上のように構成されており、付属電話または外付電話の使用時に、ユーザが付属電話または外付電話の受話器を持ち上げると、フォトカプラ３３〜３５がオフフック信号（ＯＨ）をＣＰＵ１１に出力するので、電話が使用されていることをＣＰＵ１１が認識することができる。
なお、付属電話が使用される場合には、上記したように、ユーザが表示・操作部１４からいずれかの回線を選択することができ、ユーザの指示に従ってＣＰＵ１１がＨリレー３６を切り換える。
【００２２】
次に、このデジタル複合機１によりファクシミリを送信する場合の作用について、図３のフローチャートにより説明する。
ユーザが表示・操作部１４から回線１を指定してファクス送信を指示すると、ＣＰＵ１１は、Ｈリレー３６を切り換えて付属電話を回線１側に接続した（ステップ１０１）後、モデムリレー４０を回線１側に切り換え、ＣＭＬリレー４１をオンしてモデムを回線１に接続する（ステップ１０２）。
【００２３】
この後、ＣＰＵ１１は、回線１を使用してファクス送信を開始する（ステップ１０３）。
これにより、原稿の画像データが読取部１５で読み取られ、コーデック１８で圧縮されて画像メモリ１６に蓄積された後、圧縮された画像データが画像メモリ１６から読み出されてモデム１９で変調され、ライントランス３９、ＣＭＬリレー４１、モデムリレー４０、回線１を介して通信相手先に送信される。
【００２４】
ファクス送信を開始した後、ＣＰＵ１１は、フォトカプラ３２からのＣＩ２信号を監視することにより、回線２の着信を検出したか否かを判定し（ステップ１０４）、回線２の着信を検出したと判定した場合、Ｈリレー３６を切り換え、付属電話を回線２側に接続する。
これにより、付属電話が呼出音を鳴らすので、ユーザは回線２側に着信があったことを認識することができる。
【００２５】
一方、ステップ１０４で回線２の着信を検出していないと判定した場合、または、ステップ１０５で付属電話を回線２側に切り換えた後、ＣＰＵ１１は、ファクス送信が終了したか否かを判定し（ステップ１０６）、ファクス送信が終了していないと判定した場合、ステップ１０４に戻って、再び回線２の着信を検出したか否かを判定し、ファクス送信が終了したと判定した場合には、プログラムを終了する。
【００２６】
以上のように、ファクス送信中にファクス送信に使用していない回線に着信があった場合には、付属電話が着信のあった回線に切り換えられるので、ユーザは直ちに電話に対応することができる。
【００２７】
次に、デジタル複合機１が待機中の作用について図４のフローチャートにより説明する。なお、この待機中には、Ｈリレー３６が回線１側に切り換えられているものとする。
ＣＰＵ１１は、ファクシミリの送受信及び付属電話等による通話が行われていない場合には、常時、図４のフローチャートに示す待機プログラムを実施しており、このプログラムを開始すると、まず、フォトカプラ３１からのＣＩ１信号を監視することにより、回線１の着信を検出したか否かを判定する（ステップ２０１）。
【００２８】
回線１の着信を検出したと判定した場合、ＣＰＵ１１は、フォトカプラ３３からのオフフック信号ＯＨを監視することにより、付属電話がオフフックされたか否かを判定し（ステップ２０２）、オフフックされたと判定した場合、プログラムを終了する。
一方、付属電話がオフフックされていないと判定した場合、ＣＰＵ１１は、回線１に着信してから一定時間が経過したか否かを判定し（ステップ２０３）、一定時間が経過していないと判定した場合、ステップ２０２に戻って再び付属電話がオフフックされたか否かを判定し、一定時間が経過したと判定した場合には、ＣＭＬリレー４１をオンするとともに、モデムリレー４０を回線１側に切り換える（ステップ２０４）。
【００２９】
次に、ＣＰＵ１１は、極性反転検出回路４２からの信号に基づいてファクス受信か否かを判定し（ステップ２０５）、ファクス受信でないと判定した場合、回線の切断処理を行った（ステップ２０６）後、プログラムを終了する。
また、ステップ２０５でファクス受信であると判定した場合、ＣＰＵ１１は、Ｌリレー３７をオフするとともに、Ｈリレー３６を回線２側に切り換えた（ステップ２０７）後、ファクス受信処理を開始する（ステップ２０８）。これにより、受信した画像データがモデム１９で復調され、画像メモリ１６に蓄積された後、コーデック１８で復号されて記録部１７により印刷される。  
【００３０】
また、ステップ２０１で回線１の着信を検出していないと判定した場合、ＣＰＵ１１は、フォトカプラ３２からのＣＩ２信号を監視することにより、回線２の着信を検出したか否かを判定し（ステップ２０９）、回線２の着信を検出したと判定した場合、Ｈリレー３６を回線２側に切り換える（ステップ２１０）。
【００３１】
次に、ＣＰＵ１１は、フォトカプラ３３からのオフフック信号ＯＨを監視することにより、付属電話がオフフックされたか否かを判定し（ステップ２１１）、オフフックされたと判定した場合、プログラムを終了する。
一方、付属電話がオフフックされていないと判定した場合、ＣＰＵ１１は、回線２に着信してから一定時間が経過したか否かを判定し（ステップ２１２）、一定時間が経過していないと判定した場合、ステップ２１１に戻って再び付属電話がオフフックされたか否かを判定し、一定時間が経過したと判定した場合には、ＣＭＬリレー４１をオンするとともに、モデムリレー４０を回線２側に切り換える（ステップ２１３）。
【００３２】
次に、ＣＰＵ１１は、極性反転検出回路４２の出力に基づいてファクス受信か否かを判定し（ステップ２１４）、ファクス受信でないと判定した場合、回線の切断処理を行い（ステップ２１５）、Ｈリレー３６を回線１側に切り換えた（ステップ２１６）後、プログラムを終了する。
一方、ステップ２１４でファクス受信であると判定した場合、Ｌリレー３８をオフするとともに、Ｈリレー３６を回線１側に切り換えた（ステップ２１７）後、ファックス受信処理を開始する（ステップ２１８）。
【００３３】
以上のように、いずれかの回線から着信があった場合、付属電話を着信のあった回線側に切り換え、一定時間内に付属電話のオフフックがない場合には、着信のあった回線をファクスモデム側に切り換えるので、着信があった場合、直ちに付属電話の呼出音を鳴らすことができるので、ユーザが着信電話に迅速に対応することができる。
【００３４】
また、ファクス受信中、ファックス受信に使用している回線側の外付電話接続用端子が切り離されるとともに、付属電話も使用していない回線側に切り換えられるので、各電話機の受話器が持ち上げられても、ファクシミリ受信に影響を与えないようにすることができる。
【００３５】
なお、以上の実施例では、本発明の通信端末装置をデジタル複合機に適用した場合について説明したが、プリンタ機能等を持たない通常のファクシミリ装置にも本発明を適用することが可能である。
【図面の簡単な説明】
【００３６】
【図１】本発明の通信端末装置を適用したデジタル複合機１の制御系の構成を示す概略ブロック図である。
【図２】ＮＣＵと電話回線及び電話端末用の端子との接続状態を示す詳細図である。
【図３】ファクシミリを送信する場合の作用を示すフローチャートである。
【図４】デジタル複合機が待機中の作用を示すフローチャートである。
【符号の説明】
【００３７】
１  デジタル複合機
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
３１〜３５  フォトカプラ
３６  Ｈリレー
３７、３８  Ｌリレー
３９  ライントランス
４０  モデムリレー
４１  ＣＭＬリレー
４２  極性反転検出回路
【図１】
2007166235.tif 000003
【図２】
2007166235.tif 000004
【図３】
2007166235.tif 000005
【図４】
2007166235.tif 000006